(57)【要約】      （修正有）【課題】受診者の負担を軽減することのできるサーベイ受診装置、プログラム及びシステムを提供する。【解決手段】システム１において、サーベイ受診装置は、リスト表示制御部と、サーベイ表示制御部と、を備える。リスト表示制御部は、通信部を介してサーバからサーベイ一覧情報を取得して表示部にサーベイリストを表示するとともに、サーベイリストに応じて入力部に入力された選択指示に基づいてサーベイ表示制御部にサーベイの実行を指示する。サーベイ表示制御部は、通信部を介してサーバからサーベイ情報を取得して表示部に設問を表示し、設問に応じて入力部に入力された回答を受け付ける。リスト表示制御部は、サーベイ一覧情報に未受診または受診中のサーベイが含まれていた場合に、表示部にサーベイリストを表示させることなく、サーベイ表示制御部に未受診または受診中のサーベイの実行を指示する。【選択図】図１
2020177434.tif 000002
【特許請求の範囲】
【請求項１】
通信部と、表示部と、入力部と、を備えたコンピュータをサーベイ受診装置として動作させるプログラムであって、
前記サーベイ受診装置は、リスト表示制御部と、サーベイ表示制御部と、を備え、
前記リスト表示制御部は、前記通信部を介してサーバからサーベイ一覧情報を取得して前記表示部にサーベイリストを表示可能に構成されるとともに、前記サーベイリストに応じて前記入力部に入力された選択指示に基づいて前記サーベイ表示制御部にサーベイの実行を指示可能に構成され、
前記サーベイ表示制御部は、前記通信部を介して前記サーバからサーベイ情報を取得して前記表示部に設問を表示可能に構成されるとともに、前記設問に応じて前記入力部に入力された回答を受け付け可能に構成され、
前記リスト表示制御部は、前記サーベイ一覧情報に未受診または受診中のサーベイが含まれていた場合に、前記表示部に前記サーベイリストを表示させることなく、前記サーベイ表示制御部に前記未受診または受診中のサーベイの実行を指示する
プログラム。
【請求項２】
前記リスト表示制御部は、前記サーベイ一覧情報に未受診または受診中のサーベイが複数含まれていた場合に、前記サーベイ表示制御部に前記未受診のサーベイの全ての実行を指示する
請求項１に記載のプログラム。
【請求項３】
前記サーベイ表示制御部は、複数のサーベイを実行する場合に、前記サーバから複数のサーベイ情報を取得し、前記表示部に表示させる設問を関連性に基づいて並び替えた後に表示させる
請求項２に記載のプログラム。
【請求項４】
前記サーベイ表示制御部は、複数のサーベイを実行する場合に、前記サーバから複数のサーベイ情報を取得し、前記表示部に表示させる設問から重複する設問を削除した後に表示させる
請求項２または請求項３に記載のプログラム。
【請求項５】
前記サーベイ表示制御部は、前記表示部に表示させた全ての設問に応じた回答を受け付けた場合と、前記入力部にサーベイの中断指示が入力された場合とに、前記リスト表示制御部に前記サーベイリストの表示を実行させ、
前記リスト表示制御部は、前記サーベイ表示制御部が前記表示部に表示させた全ての設問に応じた回答を受け付けた場合に、前記サーベイ一覧情報に未受診または受診中のサーベイが含まれていた場合は、前記表示部に前記サーベイリストを表示させることなく、前記サーベイ表示制御部に前記未受診または受診中のサーベイの実行を指示する
請求項１に記載のプログラム。
【請求項６】
前記サーベイ表示制御部は、前記通信部を介して前記サーバから回答選択用の画像を複数取得して前記表示部に該画像を表示させ、該表示した画像の位置に応じた前記入力部への入力に基づいて前記回答を受け付ける
請求項１乃至請求項５のいずれか１項に記載のプログラム。
【請求項７】
前記リスト表示制御部は、前記サーベイリストとともにメニュー指示欄を前記表示部に表示させ、
前記サーベイ表示制御部は、前記メニュー指示欄を前記表示部から消去させて前記設問を表示させる
請求項１乃至請求項６のいずれか１項に記載のプログラム。
【請求項８】
通信部と、表示部と、入力部と、リスト表示制御部と、サーベイ表示制御部と、を備え、
前記通信部は、サーバと通信可能に構成され、
前記表示部は、情報を表示可能に構成され、
前記入力部は、前記表示部が表示した情報に応じた操作を指示入力として受け付け可能に構成され、
前記リスト表示制御部は、前記通信部を介して前記サーバからサーベイ一覧情報を取得して前記表示部にサーベイリストを表示可能に構成されるとともに、前記サーベイリストに応じて前記入力部に入力された選択指示に基づいて前記サーベイ表示制御部にサーベイの実行を指示可能に構成され、
前記サーベイ表示制御部は、前記通信部を介して前記サーバからサーベイ情報を取得して前記表示部に設問を表示可能に構成されるとともに、前記設問に応じて前記入力部に入力された回答を受け付け可能に構成され、
前記リスト表示制御部は、前記サーベイ一覧情報に未受診または受診中のサーベイが含まれていた場合に、前記表示部に前記サーベイリストを表示させることなく、前記サーベイ表示制御部に前記未受診または受診中のサーベイの実行を指示する
サーベイ受診装置。
【請求項９】
サーバと、サーベイ受診装置と、を備え、
前記サーバは、サーベイ一覧情報及びサーベイ情報を前記サーベイ受診装置に提供可能に構成され、
前記サーベイ受診装置は、通信部と、表示部と、入力部と、リスト表示制御部と、サーベイ表示制御部と、を備え、
前記通信部は、前記サーバと通信可能に構成され、
前記表示部は、情報を表示可能に構成され、
前記入力部は、前記表示部が表示した情報に応じた操作を指示入力として受け付け可能に構成され、
前記リスト表示制御部は、前記通信部を介して前記サーバからサーベイ一覧情報を取得して前記表示部にサーベイリストを表示可能に構成されるとともに、前記サーベイリストに応じて前記入力部に入力された選択指示に基づいて前記サーベイ表示制御部にサーベイの実行を指示可能に構成され、
前記サーベイ表示制御部は、前記通信部を介して前記サーバからサーベイ情報を取得して前記表示部に設問を表示可能に構成されるとともに、前記設問に応じて前記入力部に入力された回答を受け付け可能に構成され、
前記リスト表示制御部は、前記サーベイ一覧情報に未受診または受診中のサーベイが含まれていた場合に、前記表示部に前記サーベイリストを表示させることなく、前記サーベイ表示制御部に前記未受診または受診中のサーベイの実行を指示する
システム。
【発明の詳細な説明】
【技術分野】
【０００１】
本発明は、サーベイ受診装置、プログラム及びシステムに関する。
【背景技術】
【０００２】
近年、ストレスチェック制度が創設されるなど、職場におけるメンタルヘルス対策や過重労働対策等を支援するシステム等が多く提案されている。
【０００３】
例えば、労働者の心の健康度を示す概念のひとつに、ワーク・エンゲイジメントがあり、これを診断するシステムが、特許文献１に記載されている。
【先行技術文献】
【特許文献】
【０００４】
【特許文献１】特許第６２０８９１１号公報
【発明の概要】
【発明が解決しようとする課題】
【０００５】
ところで、特許文献１にも記載されているように、ワーク・エンゲイジメントの診断等を行う際には、サーベイを行うことが多い。
【０００６】
しかしながら、現状のサーベイは、受診者の負担も大きく、サーベイ受診すること自体が受診者のストレスとなってしまうこともあった。
【０００７】
本発明は、かかる事情を鑑みてなされたものであり、受診者の負担を軽減することのできるサーベイ受診装置、プログラム及びシステムを提供することを目的とする。
【課題を解決するための手段】
【０００８】
本発明によれば、通信部と、表示部と、入力部と、を備えたコンピュータをサーベイ受診装置として動作させるプログラムであって、前記サーベイ受診装置は、リスト表示制御部と、サーベイ表示制御部と、を備え、前記リスト表示制御部は、前記通信部を介してサーバからサーベイ一覧情報を取得して前記表示部にサーベイリストを表示可能に構成されるとともに、前記サーベイリストに応じて前記入力部に入力された選択指示に基づいて前記サーベイ表示制御部にサーベイの実行を指示可能に構成され、前記サーベイ表示制御部は、前記通信部を介して前記サーバからサーベイ情報を取得して前記表示部に設問を表示可能に構成されるとともに、前記設問に応じて前記入力部に入力された回答を受け付け可能に構成され、前記リスト表示制御部は、前記サーベイ一覧情報に未受診または受診中のサーベイが含まれていた場合に、前記表示部に前記サーベイリストを表示させることなく、前記サーベイ表示制御部に前記未受診または受診中のサーベイの実行を指示するプログラムが提供される。
【図面の簡単な説明】
【０００９】
【図１】本発明の実施形態に係るサーベイ受診装置３を含めたシステム１の構成を示した図である。
【図２】リスト表示制御部３３により表示部３５に表示させられるサーベイのリストの表示画面例を示した図である。
【図３】個別受診セル１０１の表示例を示した図である。
【図４】サーベイ表示制御部３４により表示部３５に表示されるサーベイ実行画面の例を示した図である。
【図５】サーベイのリストを表示する処理の流れを示すアクティビティ図である。
【図６】サーベイの中断指示があった場合に、サーベイのリストを表示する処理の流れを示すアクティビティ図である。
【図７】サーベイの実行指示があった場合の処理の流れを示すアクティビティ図である。
【図８】サーベイが終了した場合に、サーベイのリストを表示する処理の流れを示すアクティビティ図である。
【図９】サーベイが終了した場合に、サーベイのリストを表示する処理の流れの別例を示すアクティビティ図である。
【図１０】サーベイ処理の流れを示すアクティビティ図である。
【図１１】サーベイ処理の流れを示すアクティビティ図である。
【発明を実施するための形態】
【００１０】
以下、図面を用いて本発明の実施形態について説明する。以下に示す実施形態中で示した各種特徴事項は、互いに組み合わせ可能である。
【００１１】
１．構成例
図１は、本発明の実施形態に係るサーベイ受診装置３を含めたシステム１の構成を示した図である。同図に示すように、システム１は、サーバ２とサーベイ受診装置３を含んで構成される。サーバ２とサーベイ受診装置３は、インターネット等のネットワークを介して相互に通信可能となっている。また、同図においては、サーベイ受診装置３を１台のみ示しているが、サーベイ受診装置３を複数台、システム１に含めるようにしてもよい。
【００１２】
また、サーバ２は、通信部２１と、サーベイ一覧情報保持部２２と、サーベイ情報保持部２３と、サーベイ結果情報保持部２４とを有している。
【００１３】
サーベイ一覧情報保持部２２は、受診者が受診可能なサーベイと受診者が受診済みのサーベイの一覧情報を保持する。
【００１４】
サーベイ情報保持部２３は、サーベイに用いる複数の設問を保持している。サーベイに用いる各設問には、タグが付されており、各設問を分野等によって分類可能となっている。
【００１５】
サーベイ結果情報保持部２４は、受診者によるサーベイの回答結果を保持している。
【００１６】
これらの構成により、サーバ２は、サーベイ一覧情報とサーベイ情報をサーベイ受診装置３に提供可能となり、また、サーベイ受診装置３からサーベイの回答結果を取得可能となる。
【００１７】
一方、サーベイ受診装置３は、通信部３１と、記憶部３２と、リスト表示制御部３３と、サーベイ表示制御部３４と、表示部３５と、入力部３６とを有している。なお、サーベイ受診装置３は、コンピュータにプログラムを実行させることで実現されるもので、リスト表示制御部３３とサーベイ表示制御部３４は、プログラムにより実現される機能である。
【００１８】
通信部３１は、サーバ２の通信部２１と通信を行い、サーバ２からサーベイ一覧情報とサーベイ情報を取得するとともに、サーバ２へサーベイの回答結果を提供する。
【００１９】
記憶部３２は、通信部３１を介してサーバ２から取得したサーベイ一覧情報とサーベイ情報を記憶するとともに、サーベイの回答結果を記憶する。
【００２０】
リスト表示制御部３３は、通信部３１を介してサーバ２からサーベイ一覧情報を取得し、取得したサーベイ一覧情報に基づいて、サーベイのリストを表示部３５に表示する。また、リスト表示制御部３３は、サーバ２から取得したサーベイ一覧情報を必要に応じて記憶部３２に記憶させるとともに、記憶部３２に記憶させたサーベイ一覧情報を取得してサーベイのリストを表示部３５に表示する。
【００２１】
表示部３５にサーベイのリストを表示させると、リスト表示制御部３３は、表示部３５に表示させたサーベイのリストに基づいて、受診者が入力部３６に入力した選択指示に基づいて、サーベイ表示制御部３４にサーベイの実行を指示する。サーベイの実行の指示は、例えば、選択されたサーベイを示す情報を引数としてサーベイ表示制御部３４に渡すことで行われる。
【００２２】
また、リスト表示制御部３３は、サーバ２から取得したサーベイ一覧情報に、受診者が未受診のサーベイや受診中、例えば、前回の受診途中で中断されているサーベイが存在した場合は、表示部３５へのサーベイのリストの表示を省略して、サーベイ表示制御部３４にサーベイの実行を指示する。
【００２３】
サーベイ表示制御部３４は、通信部３１を介してサーバ２からサーベイ情報を取得し、取得したサーベイ情報に基づいて、サーベイの設問を表示部３５に表示してサーベイを実行する。また、サーベイ表示制御部３４は、サーバ２から取得したサーベイ情報を必要に応じて記憶部３２に記憶させるとともに、記憶部３２に記憶させたサーベイ情報を取得してサーベイを実行する。
【００２４】
また、サーベイ表示制御部３４は、表示部３５に表示させた設問に対して、受診者が入力部３６に入力した回答を受け付け、通信部３１を介して受け付けた回答をサーバ２へ提供する。なお、サーベイの回答は、必要に応じて、記憶部３２に記憶する。
【００２５】
２．画面表示
次に、表示部３５に表示される表示画面の例について説明する。
【００２６】
図２は、リスト表示制御部３３により表示部３５に表示させられるサーベイのリストの表示画面例を示した図である。
【００２７】
同図に示すように、リスト表示画面１００には、個別受診セル１０１とメニュー指示欄１０２が表示される。個別受診セル１０１は、サーバ２から取得したサーベイ一覧情報に含まれる個々のサーベイを表すものであり、サーベイの受診期間等を含む情報である。この個別受診セル１０１は、受診期間の降順（受診期間の新しい順）に並べられ、受診期間前のものは非表示、受診期間後のものはグレーアウトで表示し、いずれも、選択ができないようにしている。個別受診セル１０１のうち、受診者が選択できるものは、受診期間中のものである。
【００２８】
また、メニュー指示欄１０２は、受診者がサーベイ以外の処理の実行を指示するためのメニューが表示されるものである。
【００２９】
図３は、個別受診セル１０１の表示例を示した図である。同図に示すように、個別受診セル１０１には、受診期間情報１１０と、未受診バッジ１１１と、タグ１１２とが表示される。
【００３０】
受診期間情報１１０は、サーベイの受診期間を示す情報である。未受診バッジ１１１は、受診者が未受診のサーベイまたは受診中のサーベイを表すものであり、受信済みのサーベイに対応する個別受診セル１０１には、未受診バッジ１１１は、表示されない。タグ１１２は、サーベイの設問内容の分野等を示すものである。
【００３１】
図４は、サーベイ表示制御部３４により表示部３５に表示されるサーベイ実行画面の例を示した図である。同図に示すように、サーベイ実行画面２００には、設問表示欄２０１と、回答候補表示欄２０２と、中断指示ボタン２０３とが表示される。
【００３２】
設問表示欄２０１は、サーベイ情報に含まれる設問が順次表示される欄である。例えば、サーベイ表示制御部３４により、設問表示欄２０１に設問２１１が表示された状態で、この設問２１１に対して受診者が回答候補表示欄２０２に表示されている回答候補画像のいずれかを選択すると、選択された回答候補画像と同じ画像が回答画像２１２として、設問表示欄２０１に追加表示されるとともに、設問２１３が設問表示欄２０１に表示される。
【００３３】
なお、設問表示欄２０１に表示される設問、つまり、サーベイ情報に含まれる設問は、「会社で自分が中心となって何かを成し遂げたことがある？」、「会社の成長や発展に自分が役に立ったことがある？」、「会社が行うメンタルヘルスケア対策に満足している？」、「今後もこの会社は安泰だと思う？」等のように、肯定的に表現されたものである。
【００３４】
また、回答候補表示欄２０２は、サーベイの質問に対する回答の候補を画像で表示する欄であり、ここに表示される回答候補画像は、例えば、「晴れ」、「晴れ時々曇り」、「曇り」、「弱雨」、「強雨」等のように、受診者が直感的に選択可能な画像である。
【００３５】
中断指示ボタン２０３は、受診者が実行中のサーベイの中断を指示するためのボタンであり、ブラウザ等の「戻るボタン」と同様のデザインにより、直感的な操作が可能となるようにしている。
【００３６】
また、サーベイ実行画面２００には、リスト表示画面１００に表示していたメニュー指示欄１０２に相当するものは表示しない。これは、サーベイ実行中に、誤操作によりサーベイを中断させないための措置である。つまり、受診者は、中断指示ボタン２０３を押下することによってのみ、サーベイの中断を指示することができる。
【００３７】
なお、リスト表示画面１００から受診期間中であって、受診済みのサーベイが選択された場合には、サーベイ表示制御部３４により表示部３５に表示されるサーベイ実行画面では、全ての設問に対して回答画像が表示された状態となるが、この回答画像を受診者が選択、例えば、タップする操作を行うと、回答画像を別のものに変更する、つまり、回答を修正することが可能である。
【００３８】
３．処理の流れ
次に、サーベイ受診装置３の処理の流れについて説明する。
【００３９】
図５は、サーベイのリストを表示する処理の流れを示すアクティビティ図である。
【００４０】
（Ｓ３０１）
サーベイ受診装置３は、受診者よりサーベイ起動の指示があると処理を開始する。
【００４１】
（Ｓ３０２）
続いて、リスト表示制御部３３がサーバ２にサーベイ一覧情報を要求する。
【００４２】
（Ｓ３０３）
このサーベイ一覧情報の要求に対して、サーバ２がサーベイ一覧情報を送信する。
【００４３】
（Ｓ３０４）
リスト表示制御部３３は、サーバ２からサーベイ一覧情報を受信すると、これを記憶部３２に保存する。ただし、既に保存済みのサーベイ一覧情報がある場合には、その差分を保存する。
【００４４】
（Ｓ３０５）
そして、受信したサーベイ一覧情報に未受診または受診中のサーベイがあると、リスト表示制御部３３は、未受診または受診中のサーベイを識別する情報を引数として、サーベイ表示制御部３４にサーベイの実行を指示する。なお、リスト表示制御部３３は、未受診または受診中のサーベイが複数あった場合には、サーベイ表示制御部３４に全てのサーベイの実行を指示するようにしてもよく、１つのサーベイの実行、例えば、最も受診期間の終了が近いサーベイの実行を指示するようにしてもよい。
【００４５】
（Ｓ３０６）
リスト表示制御部３３からサーベイの実行指示を受けると、サーベイ表示制御部３４は、サーベイを実行する。
【００４６】
（Ｓ３０７）
一方、受信したサーベイ一覧情報に未受診または受診中のサーベイが無い場合は、リスト表示制御部３３は、表示部３５にサーベイのリストを表示する。
【００４７】
図６は、サーベイの中断指示があった場合に、サーベイのリストを表示する処理の流れを示すアクティビティ図である。
【００４８】
（Ｓ４０１）
サーベイ受診装置３は、受診者よりサーベイの中断指示があると処理を開始する。
【００４９】
（Ｓ４０２）
受診者よりサーベイの中断指示があると、まず、サーベイ表示制御部３４がサーベイの実行を終了する。
【００５０】
（Ｓ４０３）
続いて、リスト表示制御部３３がサーバ２にサーベイ一覧情報を要求する。
【００５１】
（Ｓ４０４）
このサーベイ一覧情報の要求に対して、サーバ２がサーベイ一覧情報を送信する。
【００５２】
（Ｓ４０５）
リスト表示制御部３３は、サーバ２からサーベイ一覧情報を受信すると、これを記憶部３２に保存する。ただし、既に保存済みのサーベイ一覧情報がある場合には、その差分を保存する。
【００５３】
（Ｓ４０６）
そして、リスト表示制御部３３は、表示部３５にサーベイのリストを表示する。
【００５４】
図７は、サーベイの実行指示があった場合の処理の流れを示すアクティビティ図である。
【００５５】
（Ｓ５０１）
リスト表示制御部３３が表示部３５に表示させたサーベイ一覧情報から、個別受診セル１０１を選択してサーベイの起動を指示すると、サーベイ表示制御部３４は、サーベイの実行を開始する。
【００５６】
（Ｓ５０２）
受診者からのサーベイの起動指示を受けると、リスト表示制御部３３は、選択された個別受診セル１０１に対応するサーベイを識別する情報を引数として、サーベイ表示制御部３４にサーベイの実行を指示する。
【００５７】
（Ｓ５０３）
リスト表示制御部３３からサーベイの実行指示を受けると、サーベイ表示制御部３４は、サーベイを実行する。
【００５８】
図８は、サーベイが終了した場合に、サーベイのリストを表示する処理の流れを示すアクティビティ図である。
【００５９】
（Ｓ６０１）
サーベイ表示制御部３４がサーベイを終了する。
【００６０】
（Ｓ６０２）
続いて、リスト表示制御部３３がサーバ２にサーベイ一覧情報を要求する。
【００６１】
（Ｓ６０３）
このサーベイ一覧情報の要求に対して、サーバ２がサーベイ一覧情報を送信する。
【００６２】
（Ｓ６０４）
リスト表示制御部３３は、サーバ２からサーベイ一覧情報を受信すると、これを記憶部３２に保存する。ただし、既に保存済みのサーベイ一覧情報がある場合には、その差分を保存する。
【００６３】
（Ｓ６０５）
そして、リスト表示制御部３３は、表示部３５にサーベイのリストを表示する。
【００６４】
図９は、サーベイが終了した場合に、サーベイのリストを表示する処理の流れの別例を示すアクティビティ図である。なお、ここで説明する例は、未受診または受診中のサーベイが複数あった場合に、リスト表示制御部３３がサーベイ表示制御部３４に１つのサーベイの実行を指示した場合の処理の例である。
【００６５】
（Ｓ７０１）
サーベイ表示制御部３４がサーベイを終了する。
【００６６】
（Ｓ７０２）
続いて、リスト表示制御部３３がサーバ２にサーベイ一覧情報を要求する。
【００６７】
（Ｓ７０３）
このサーベイ一覧情報の要求に対して、サーバ２がサーベイ一覧情報を送信する。
【００６８】
（Ｓ７０４）
リスト表示制御部３３は、サーバ２からサーベイ一覧情報を受信すると、これを記憶部３２に保存する。ただし、既に保存済みのサーベイ一覧情報がある場合には、その差分を保存する。
【００６９】
（Ｓ７０５）
そして、受信したサーベイ一覧情報に未受診または受診中のサーベイがあると、リスト表示制御部３３は、未受診または受診中のサーベイを識別する情報を引数として、サーベイ表示制御部３４にサーベイの実行を指示する。なお、リスト表示制御部３３は、未受診または受診中のサーベイが複数あった場合には、サーベイ表示制御部３４に全てのサーベイの実行を指示するようにしてもよく、１つのサーベイの実行、例えば、最も受診期間の終了が近いサーベイの実行を指示するようにしてもよい。
【００７０】
（Ｓ７０６）
リスト表示制御部３３からサーベイの実行指示を受けると、サーベイ表示制御部３４は、サーベイを実行する。
【００７１】
（Ｓ７０７）
一方、受信したサーベイ一覧情報に未受診または受診中のサーベイが無い場合は、リスト表示制御部３３は、表示部３５にサーベイのリストを表示する。
【００７２】
図１０及び図１１は、サーベイ処理の流れを示すアクティビティ図である。
【００７３】
（Ｓ８０１）
受診者が、リスト表示制御部３３により表示部３５に表示されたサーベイのリストから、個別受診セル１０１を選択する。なお、受診者による個別受診セル１０１の選択ではなく、リスト表示制御部３３によるサーベイの実行指示があった場合も同様である。
【００７４】
（Ｓ８０２）
サーベイ表示制御部３４は、サーベイの実行を開始すると、引数で指定されたサーベイ情報が記憶部３２に未保存であれば、サーバ２にサーベイ情報を要求する。
【００７５】
（Ｓ８０３）
このサーベイ情報の要求に対して、サーバ２がサーベイ情報を送信する。
【００７６】
（Ｓ８０４）
サーベイ表示制御部３４は、サーバ２からサーベイ情報を受信すると、これを記憶部３２に保存する。
【００７７】
（Ｓ８０５）
続いて、サーベイ表示制御部３４は、サーバ２に回答候補画像を要求する。
【００７８】
（Ｓ８０６）
このサーベイ情報の要求に対して、サーバ２が回答候補画像を送信する。
【００７９】
（Ｓ８０７）
サーベイ表示制御部３４は、サーバ２から回答候補画像を受信すると、これを記憶部３２に保存する。
【００８０】
（Ｓ８０８）
続いて、サーベイ表示制御部３４は、サーベイ情報に含まれる設問の編集を行う。設問の編集は、タグ１１２を利用して設問を関連性に基づいて並び替えたり、重複する設問を削除したりする処理である。この設問の編集は、複数のサーベイを実行する場合に行う処理である。なお、複数のサーベイを実行する場合でも設問の編集を行わなくてもよい。
【００８１】
（Ｓ８０９）
サーベイ表示制御部３４は、サーベイ情報に含まれる設問に基づいて、表示部３５に受診者に対する質問を表示させる。
【００８２】
（Ｓ８１０）
続いて、サーベイ表示制御部３４は、表示部３５に回答候補画像を表示させる。
【００８３】
（Ｓ８１１）
表示部３５に回答候補画像が表示されると、受診者が回答を選択する。
【００８４】
（Ｓ８１２）
受診者により回答が選択されると、サーベイ表示制御部３４は、表示部３５に選択結果を回答候補画像で表示する。
【００８５】
（Ｓ８１３）
同時に、サーベイ表示制御部３４は、サーバ２に受診者による回答の選択結果を通知する。
【００８６】
（Ｓ８１４）
サーベイ表示制御部３４から通知を受けると、サーバ２は、その選択結果をサーベイ結果情報保持部２４に格納する。
【００８７】
これらＳ８０９からＳ８１４までの処理は、サーベイ情報に未回答の設問がある間繰り返される。
【００８８】
（Ｓ８１５）
サーベイ情報から未回答の設問がなくなると、サーベイ表示制御部３４は、表示部３５に終了メッセージを表示し、サーベイを終了する。
【００８９】
以上説明した構成と処理により、サーベイ受診装置３は、受診者に簡易で直感的な操作によるサーベイを行わせることができ、サーベイの実施率を向上させることができるといった効果をも得ることができる。
【符号の説明】
【００９０】
１      ：システム
２      ：サーバ
３      ：サーベイ受診装置
２１    ：通信部
２２    ：サーベイ一覧情報保持部
２３    ：サーベイ情報保持部
２４    ：サーベイ結果情報保持部
３１    ：通信部
３２    ：記憶部
３３    ：リスト表示制御部
３４    ：サーベイ表示制御部
３５    ：表示部
３６    ：入力部
１００  ：リスト表示画面
１０１  ：個別受診セル
１０２  ：メニュー指示欄
１１０  ：受診期間情報
１１１  ：未受診バッジ
１１２  ：タグ
２００  ：サーベイ実行画面
２０１  ：設問表示欄
２０２  ：回答候補表示欄
２０３  ：中断指示ボタン
２１１  ：設問
２１２  ：回答画像
２１３  ：設問
【図１】
2020177434.tif 000003
【図２】
2020177434.tif 000004
【図３】
2020177434.tif 000005
【図４】
2020177434.tif 000006
【図５】
2020177434.tif 000007
【図６】
2020177434.tif 000008
【図７】
2020177434.tif 000009
【図８】
2020177434.tif 000010
【図９】
2020177434.tif 000011
【図１０】
2020177434.tif 000012
【図１１】
2020177434.tif 000013